(57)【要約】【課題】光子、陽子、中間子、中性子、電子の引力はどれほどか。引力の計算はどうなるのか。引力はなにでできるのか。光子のエネルギーはどんなエネルギーなのか。【解決手段】本発明者が素粒子五、六として提出した陽子、中間子、中性子、電子の光子の数と光子の仕事エネルギーから各々の作り出す引力を算出できた。そして、原子の引力が陽子、中間子、中性子、電子の各々の引力の足し算によって算出できる事から引力の算出は足し算によってできると理解した。その理由は陽子、中間子、中性子の中で光子が回転して引力を作っているからです。引力が光子の数×光子１個の引力で算出できる事から光子が引力を作っていると理解できる。光子は回転し引力を作っている。光子１個で２．４７×１０−６１Ｎの引力を作っている。引力とは光子が作る引力の和である。そして、光子のエネルギーは回転エネルギーである。その光子のエネルギーの係数が引力の係数である。【選択図】図２
2004032970.tif 000002
【特許請求の範囲】
【請求項１】
引力が引力×引力で計算できると考える場合。
光子１個によってできる引力は６．０４×１０−５６Ｎであり、
陽子１個でできる引力は１．３６×１０−３２Ｎであり、
中間子１個でできる引力は２．０３×１０−３３Ｎであり、
中性子１個でできる引力は１．３７×１０−３２Ｎであり、
電子１個でできる引力は７．２５×１０−３６Ｎであり、
原子（陽子、中間子、中性子、電子１個ずつでできている原子）でできる引力は２．９３×１０−３２Ｎであり、
１分子が１原子である場合１モルでできる引力は１．７４×１０−８Ｎである。
【請求項２】
引力は引力＋引力で計算できると考える場合。
光子１個によってできる引力は２．４７×１０−６１Ｎであり、
陽子１個によってできる引力は５．５６×１０−３８Ｎであり、
中間子１個によってできる引力は８．３×１０−３９Ｎであり、
中性子１個によってできる引力は５．６×１０−３８Ｎであり、
電子１個によってできる引力は２．９６×１０−４１Ｎであり、
原子１個によってできる引力は１．２×１０−３７Ｎであり、
１分子が１原子である場合、１モルでできる引力は７．２×１０−１４Ｎである。
【請求項３】
請求項１に於いて、原子の引力は陽子の引力＋中間子の引力＋中性子の引力＋電子の引力である。この事から引力は引力＋引力によって計算できると考えられる。
【請求項４】
万有引力の係数が６．６７である理由は光子の回転によって引力ができるからである。光子の数だけ光子の回転ができ、引力ができる。光子の回転が引力となりそれが基本単位となっている。それで光子のエネルギー係数が万有引力の係数となる。
【請求項５】
光子のエネルギーは回転エネルギーである。
【請求項６】
陽子、中間子、中性子、の光子の回転の輪が引力を作りそれが拡張している。この引力の輪の集まりが引力である。
【発明の詳細な説明】
【０００１】
【発明の属する技術分野】
本発明は引力に関する。
【０００２】
【従来の技術】
従来、引力は物質のエネルギーでできる。万有引力係数は６．６７である。
【０００３】
【発明が解決しようとする課題】
万有引力係数はどうして６．６７であるのか。
引力の計算はどうなっているのか。
光子、陽子、中間子、中性子、電子の引力はどれだけなのか。
【０００４】
【課題を解決するための手段】
これらの課題を解決するために、本発明者が素粒子六として提出した光子の仕事エネルギーと素粒子五として提出した陽子、中間子、中性子、電子の光子の数によって計算する。
【０００５】
【発明の実施形態】
▲１▼引力は引力×引力として計算できると考えた場合。
図１のようにＡｋｇの物質とＢｋｇの物質が存在していると、ＡとＢから引力は発生している。引力は遥か遠くまで届く。引力は物質に近ければ強く、離れると弱くなる。Ａからの距離Ｃ１、Ｂからの距離Ｃ２に於いて、Ａの引力Ｆ１とＢの引力Ｆ２は　Ｆ１＝ＫＡ／Ｃ１　Ｆ２＝ＫＢ／Ｃ２　と現せる。
Ａ＝Ｂ＝１ｋｇ　Ｃ１＝Ｃ２＝ｒ＝１ｍである時　Ｆ１＝Ｆ２であるから　Ｆ１Ｆ２＝Ｋ１／１でありＦ１２＝Ｋ＝６．６７×１０−１１Ｎ　Ｆ１＝８．１５×１０−６Ｎ即ち、１ｋｇの物質は８．１５×１０−６Ｎの引力を発生する。
１ｋｇのエネルギーはいくらであるか。
１ｋｇが陽子だけでできていると考えると、陽子の質量は１．６７×１０−２７ｋｇですから１ｋｇの中には　１ｋｇ÷（１．６７×１０−２７ｋｇ）＝６×１０２６（個）の陽子が入っています。
陽子１個のエネルギーは１．５×１０−１０Ｊですので、
１ｋｇのエネルギーは、
陽子１個のエネルギー×陽子の数で
１．５×１０−１０（Ｊ）×（６×１０２６）（個）＝９×１０１６（Ｊ）
即ち、１ｋｇ＝９×１０１６Ｊで８．１５×１０−６Ｎの引力ができます。
それでは光子１個ではどれだけの引力ができるか。
光子１個のエネルギーは６．６７×１０−３４Ｊですから、
９×１０１６Ｊ：８．１５×１０−６Ｎ＝６．６７×１０−３４Ｊ：ｘＮ　ｘ＝６．０４×１０−５６（Ｎ）
光子１個で６．０４×１０−５６Ｎできる。
陽子１個でできる引力はどれだけか。
陽子１個は光子が２．２５×１０２３個であるから、陽子１個でできる引力は
２．２５×１０２８（個）×６．０４×１０−５６（Ｎ）＝１．３６×１０−３２（Ｎ）
陽子１個で１．３６×１０−３２Ｎの引力ができる。
中間子１個でできる引力はどれだけか。
中間子１個は光子が３．３６×１０２２個であるから、中間子１個でできる引力は
３．３６×１０２２（個）×６．０４×１０−５６（Ｎ）＝２．０３×１０−３３（Ｎ）
中間子１個で２．０３×１０−３３Ｎの引力ができる。
中性子１個でできる引力はどれだけか。
中性子１個は光子が２．２７×１０２３個であるから、中性子１個でできる引力は
２．２７×１０２３（個）×６．０４×１０−５６（Ｎ）＝１．３７×１０−３２（Ｎ）
中性子１個で１．３７×１０−３２Ｎの引力ができる。
電子１個でできる引力はどれだけか。
電子１個は光子が１．２×１０２０個であるから、電子１個でできる引力は
１．２×１０２０（個）×６．０４×１０−５６（Ｎ）＝７．２５×１０−３６（Ｎ）
電子１個で７．２５×１０−３６Ｎの引力ができる。
原子１個でできる引力はどれだけか。
原子（陽子、中間子、中性子、電子各１個の原子）１個は光子が約４．８５×１０２３個であるから、
４．８５×１０２３（個）×６．０４×１０−５６（Ｎ）＝２．９３×１０−３２（Ｎ）
原子１個で２．９３×１０−３２Ｎの引力ができる。
１分子が１原子である場合、１モルでできる引力はどれだけか。
１モルは６×１０２３個の原子であるから、
６×１０２３（個）×２．９３×１０−３２（Ｎ）＝１，７５８×１０−８（Ｎ）
１モルで１．７５８×１０−８Ｎの引力ができる。
鉄１モルでできる引力はどれだけか。
鉄１分子は１原子で原子番号２６であるから、
２６×１．７５８×１０−８＝４．５７×１０−７（Ｎ）
鉄１モルで４．５７×１０−７Ｎの引力ができる。
これは鉄５５．８５ｇの引力であるから鉄１ｋｇでできる引力はどれだけか。
（１０００÷５５．８５）×４．５７×１０−７（Ｎ）＝８．１８×１０−６（Ｎ）
鉄１ｋｇで８．１８×１０−６Ｎの引力ができます。
それで、１ｋｇの引力と１ｋｇの引力は掛け算で計算すると
８．１８×１０−６×８．１８×１０−６＝６．６９×１０−１１（Ｎ）
６．６９×１０−１１Ｎの引力ができます。
このように考えたのですが、
図２のように、原子の引力は足し算になっています。
即ち、陽子１個で１．３６×１０−３２Ｎ、中間子１個で２．０３×１０−３３Ｎ、中性子１個で１．３７×１０−３２Ｎです。これらを足し算すると原子１個の引力２．９３×１０−３２Ｎになります。
このことから引力は足し算で計算すると考えられます。
▲２▼引力は引力＋引力として足し算で計算できると考えた場合。
そうしますと、１ｋｇの物質でできた引力と１ｋｇの物質でできた引力の足し算で６．６７×１０−１１Ｎの引力はできたということです。
それでは、引力の計算は足し算でできると考えますと、
２Ｆ＝６．６７×１０−１１Ｎ　Ｆ＝３．３３５×１０−１１Ｎです。
９×１０１６Ｊで３．３３５×１０−１１Ｎの引力ができるということです。
それでは、
光子１個でできる引力はどれだけか。
９×１０１６Ｊ：３．３３５×１０−１１Ｎ＝６．６７×１０−３４Ｊ：ｘＮ
ｘ＝２．４７×１０−６１（Ｎ）
光子１個で２．４７×１０−６１Ｎの引力ができる。
陽子１個でできる引力は
２．２５×１０２３×２．４７×１０−６１＝５．５６×１０−３８（Ｎ）
５．５６×１０−３８Ｎです。
中間子１個でできる引力は
３．３６×１０２２×２．４７×１０−６１＝８．３×１０−３９（Ｎ）
８．３×１０−３９Ｎです。
中性子１個でできる引力は
２．２７×１０２３×２．４７×１０−６１＝５．６×１０−３８（Ｎ）
５．６×１０−３８Ｎです。
電子１個でできる引力は
１．２×１０２０×２．４７×１０−６１＝２．９６×１０−４１（Ｎ）
２．９６×１０−４１Ｎです。
原子１個でできる引力は
４．８５×１０２３×２．４７×１０−６１＝１．２×１０−３７（Ｎ）
１．２×１０−３７Ｎです。
１分子が１原子である場合、１モルでできる引力は
６×１０２３×１．２×１０−３７＝７．２×１０−１４（Ｎ）　　　　　７．２×１０−１４Ｎです。
鉄１モルでできる引力はどれだけか。
２６×７．２×１０−１４＝１．８７２×１０−１２（Ｎ）　　　　　　１．８７２×１０−１２Ｎです。
鉄１０００ｇでできる引力は
１０００÷５５．８５×１．８７２×１０−１２＝３．３５×１０−１１（Ｎ）
３．３５×１０−１１Ｎです。
鉄１ｋｇで３．３５×１０−１１Ｎの引力ができる。
鉄１ｋｇの引力＋鉄１ｋｇの引力＝３．３５×１０−１１Ｎ＋３．３５×１０−１１Ｎ＝６．７×１０−１１Ｎ
このように足し算によって計算できる。
原子の引力が陽子、中間子、中性子、電子の引力の足し算になっている。
この事は陽子、中間子、中性子、電子の中にあるものが引力を作っていると考えられる。それは光子である。光子が回転して引力を作っている。１つの光子が２．４７×１０−６１Ｎの引力を作っている。それが引力の基本である。それが引力の単位である。それで光子のエネルギーが引力のエネルギーとなる。ゆえに万有引力係数は光子のエネルギー係数と同じである。
光子のエネルギーは回転エネルギーである。
図３のように光子の回転によってできた引力の輪は拡散する。空間にも拡散する。引力の輪の集合したものが引力である。逆に引力の輪を縮小したものが光子の回転である。極小の光子の回転体は陽子、中間子、中性子の光子の回転体である。
【０００６】
【発明の効果】
本発明は素粒子（光子、陽子、中間子、中性子、電子、原子）の引力について計算できた。そして原子の引力が陽子、中間子、中性子、電子の引力の足し算である事から引力は引力の足し算によってできていると理解した。引力は光子の引力の足し算であると理解した。これは光子が引力を作っているからである。光子が回転して引力を作っているからである。光子１個が回転し引力を作っている。その引力は２．４７×１０−６１Ｎである。この事によって光子のエネルギーは回転エネルギーである事を理解できた。
引力の発生源は引力を発生する物の最も中央から発生する。その形もしだいに大きくなっている。引力の形を極小にするとそこに回転する輪がある。
それが光子の回転である。
【図面の簡単な説明】
【図１】物ＡとＢが作る引力
【図２】原子の引力は陽子の引力＋中間子の引力＋中性子の引力＋電子の引力である。
【図３】陽子、中間子、中性子の光子が回転し引力を作っている。光子１個で２．４７×１０−６１Ｎの引力を作っている。その回転の輪が次第に拡大している状態となっている。
【符号の説明】
Ａ　物　　　Ｂ　物　　　Ｃ１Ａからの距離　　　Ｃ２Ｂからの距離
Ｆ１Ａの引力　　　　Ｆ２Ｂの引力　　　１光子　２陽子　３中間子
４中性子　５電子　６引力
【図１】
2004032970.tif 000003
【図２】
2004032970.tif 000004
【図３】
2004032970.tif 000005